(57)【要約】【目的】  地震、火災等で、住宅、ビル、マンションの、ベランダから避難するために、ベランダにクレーンを設置し、リモートコントロールスイッチのボタンを押すだけで、安全に、簡単に避難できる、避難装置です。【構成】  ベランダの手摺１に、クレーンを設置、避難器具１０に人間を乗せてクレーンで吊り上げ、リモートコントロールスイッチの操作によって、安全に避難する。【選択図】  図１
2005230519.tif 000002
【特許請求の範囲】
【請求項１】
住宅、ビル、マンション等の建物や、旅館、ホテル、各種の催し物会場等の公共施設の屋上、ベランダ、窓等に、本考案の避難装置を設置し、地震、火災等の際、リモートコントロールの操作だけで、安全に避難できる、避難装置。
【請求項２】
クレーンのブームが、自動的に、ベランダの手摺１の外側に、旋回するように、柱２を、ベランダの手摺１の外側の方向に、少し傾けて取り付ける。又は、蝶番５を取り付けるとき、ブーム４の、上・下の蝶番５の取り付けは、蝶番５の位置を、ベランダの手摺１の外側の方向に傾けて、斜めに少しずらして取り付ける、避難装置。
【請求項３】
蝶番５の取り付けは、図２のように、２枚板７で取り付ける、避難装置。
【請求項４】
ウインチ６は、無線のリモートコントロール装置付きのウインチを使用する、ただし低いベランダの場合は、無線でなくても良い、避難装置。
【請求項５】
ウインチ６のワイヤー８は、ステンレスワイヤーを使用する、避難装置。
【請求項６】
動滑車９を使用した場合、避難器具１０が、建物と平行になる位置で、動滑車９のフック１１を、動滑車９に溶接して固定し、フックが自由に回らないようにする、避難装置。
【請求項７】
避難器具１０の形は、人間が落ちないように、図３のように、両端が高く、真中が低い形にして、転落防止装置を取り付ける、避難装置。
【請求項８】
ブーム４の下側の柱２に図４の様な、ブーム旋回用手摺１８を取付ける。なお、避難装置をクレーンとして使用する時は、柱２から外す構造にする、避難装置。
【請求項９】
避難器具ひっ掛け棒１９を用意する、避難装置。
【請求項１０】
ブーム４の先端にロープ２０を取り付け、ベランダ内の壁にも定滑車２１を取り付け、定滑車２１にロープ２０を通して引く、避難装置。
【請求項１１】
家庭用配線のブレーカーとは別の、電源を使用する、避難装置。
【請求項１２】
本考案の避難装置は、クレーンとして使用する、避難装置。
【発明の詳細な説明】
【産業上の利用分野】
【０００１】本考案は、住宅、ビル、マンション等の建物や、旅館、ホテル、各種の催し物会場等の公共施設の屋上、ベランダ、窓等に、本考案の避難装置を設置し、地震、火災等の際、リモートコントロールの操作だけで、安全に避難できる、避難装置。
【背景技術】
【０００２】地震、火災で、高い所から避難する場合、従来は縄ハシゴを使用していました。けれども、実際に縄ハシゴを使って安全な所まで避難するのは非常に危険で困難なことです。
【考案が解決しようとする課題】
【０００３】ベランダからの避難は危険で、困難な縄ハシゴ避難ではなく、本考案のクレーンと避難器具を使って、スイッチの操作だけで、安全に避難できるように考案されたものです。
【課題を解決するための手段】
【０００４】上記目的を達成するために図面とともに説明します。図１のように、本考案の避難装置は、ベランダの手摺１に、クレーンの柱２を建て、ベランダの手摺１の上、下、の部分に、柱２が倒れないように、取り付け金具３で取り付ける。その際、柱２の取り付けは、クレーンのブーム４が、自動的にベランダの手摺１の外側に旋回するように、柱２を、ベランダの手摺１の外側の方向に少し傾けて取り付ける。
【０００５】柱の上部に、クレーンのブーム４を取り付ける。ブームの根元は、蝶番い５で取り付け、ブーム４が旋回出来るようにする。蝶番い５を取り付けるとき、ブーム４がベランダ１の外側へ旋回するように、ブーム４の上下の蝶番い５の取り付けは、蝶番い５の位置を外側に傾けて斜めに少しずらして取り付ける。以上のように取り付けると、クレーンのウインチ６を巻き上げ、ブーム４に荷重が加わると、自動的にブーム４がベランダ内から外側へ旋回する。また、蝶番い５の取り付けは、１枚板ではなく、図２の様に、どの部分でも強度を保てる、２枚板７で取り付ける。
【０００６】ブーム４の先端部分に、クレーンのウインチ６を取り付ける。
ウインチ６は、無線のリモートコントロール装置付きのウインチを使用する。
ウインチ６の、ワイヤー８は、腐食しない、ステンレスのワイヤーを使用する。
ワイヤー８の繰り込みは、１本吊りと、２本吊りを、使用する。
２本吊りを使用する場合は、ワイヤー８の、長さの関係で、２階、３階等の低いベランダに使用し、１本吊りの場合は、それ以上の、高いベランダに使用する。
本考案のワイヤー８の、２本吊りの場合は、ワイヤー８の中間に、動滑車９を使用する。
動滑車９を使用した場合、避難器具１０を、最上部まで吊り上げたとき、動滑車９は、ブーム４と同じ向きになります。そして避難器具１０が、建物と平行になる位置で動滑車９のフック１１を、動滑車９に、溶接して、フック１１が、自由に回らない様に固定する。
以上に方法により、避難器具１０は、ベランダ内で、ウインチ６を、巻き上げ、最上部へ行ったときも、ベランダ１と並行なり、旋回して、ベランダ１の外側へ行き、避難器具１０をウインチ６で降ろすときも、ベランダ１と避難器具１０が、並行なり、避難器具１０が、回転したり、動いたりせず、固定され、安全に、避難器具１０を、降ろすことが出来ます。
１本吊りの場合は、避難器具１０が回転することはありますが、フック１１に、縒りもどし１２を付け、回転を最小限にする。
【０００７】  避難器具１０は、避難者を、ベランダの手摺１の上を越えて、外側に出すとき、ベランダの手摺１と、上の天井１３との間隔が、狭く限られています。
その間隔に、クレーンのブーム４、ウインチ６、ワイヤー８、動滑車９、避難器具１０等を、全部一緒に、通さなければなりませんので、避難器具１０の形は、人間が、避難器具１０上に、身体を寝かせる状態の形をした、少しでも高さのない、低い避難器具にする。
そして人間が、落ちないように、図３の様に、両端が高く、真中が低い形にして、転落防止装置１４を取り付け、ワイヤーまたはクサリ等で、避難器具１０を吊り上げる。
避難器具の材質は、永年使用されなくても腐食しない、ステンレス等を使用する。
避難器具１０を、吊り上げるとき、吊り上げ装置１５は、４本掛けにし、いつも一定の長さで、一定の場所に固定しないと、避難器具１０が、傾いたりするので、ワイヤーを使用する場合は、４本とも同じ長さにし、クサリを使用する場合、クサリの穴にフック１１とクサリ１５がずれないように、ずれ止めで固定する。
ワイヤーまたはクサリ１５の先端の片側２本掛けは、転落防止兼吊り上げ装置１４に固定し、外の２本掛けは、ワイヤーまたはクサリ１５の先端に、外れ止めが付いたフック１６を取り付け、そのフック１６を、転落防止兼吊り上げ装置１４にひっかける。
そして安全のために、避難器具１０に、安全ベルト１７を取り付ける。
【０００８】  ブーム４の下側の柱２の部分に、図４のような、ブーム旋回用手摺１８を取り付ける。このブーム旋回用手摺１８は、避難器具上にいる人間が、ベランダから外側に、ブーム４が旋回して出て行くとき、旋回の速さを調節するためにあります。
避難器具１０に乗り、最上部に上がったとき、片手でブーム旋回用手摺１８をつかみ、ブーム４の旋回が速ければ、手でおさえて旋回を遅くし、旋回が止まるか遅いときは、手でブーム旋回用手摺１８をたぐり寄せ、ベランダの外側まで、ブーム４を旋回させる。
【０００９】  ブーム４は自動的に、ベランダ内から外側に出て行くように作ってありますので、後の人は、前の人が降りたら、また元の位置に避難器具１０を戻さなければなりません。そのため、避難器具ひっかけ棒１９を用意して、ベランダの外側にある避難器具１０を、避難器具ひっかけ棒１９でひっかけ、たぐり寄せ、ベランダ内へもってくる。
または、ブーム４先端に、ロープ２０を取り付け、ベランダ内の壁にも定滑車２１を取り付け、定滑車２１の中を、ロープ２０を通し、そのロープ２０を引くと、ブーム４がベランダ内へ旋回して、元の位置まで避難器具１０を持ってくることが出来、後の人が、避難器具１０を使用することが出来る。
【０００１０】  本考案の避難装置の電源は、家庭内の電源を使用しますが、火災等で万が一、家庭内配線のブレーカーが作動した場合、本考案の避難装置は、使用出来なくなりますので、ブレーカーとは別の配線の電源を使用する。
【実施例】
【０００１１】  実施例に付いて図面を参照して説明する。
本考案の避難装置を使用する場合、一人だけで使用する場合、まず初めに、避難装置の電源を入れる。そしてリモートコントロールのスイッチを持って、避難器具１０の上に仰向けに寝る。そして安全ベルト１７を締め、吊り上げ装置のフック１６を、転落防止兼吊り上げ装置１４に引っ掛ける。そしてリモートコントロールのスイッチの捲きのボタンを押す。そうすると、ウインチ６が、ワイヤー８を捲き、避難器具１０が最上部まで上がって行き、ウインチ６の過捲き防止装置２２によって、ウインチ６が止まり、避難器具１０が止まる。
避難器具上の人間は、ブーム旋回手摺１８に手を掛け、それを握り、ベランダ内から外部へ旋回する。ブームの速度を調整しながら、外部の降りる所まで避難器具１０を誘導する。そして降りる場所まで来たら、リモートコントロールスイッチの降ろしのボタンを押すと、ウインチ６がワイヤー８を降ろし、避難器具１０が安全な場所まで降りていく。【０００１２】  次に二人以上で使用する場合、まず避難者は、老人、病人、女子、子供等、弱者の人から避難させるため、成人がリモートコントロールのスイッチを持ち、弱者の人を避難器具１０に乗せる。そしてリモートコントロールのスイッチの捲きのボタンを押す。そして最上部に避難器具１０が上がったら、ブーム４の旋回の調節は、ブーム４が止まっている場合は、避難器具１０を手で押し上げ、手の届かないときは、ひっかけ棒１９で押して旋回させ、降りる場所まで誘導してあげる。ブーム４の旋回が速くなる場合は、ロープ２０をひっぱり、旋回の速度を調節してあげ、そして降りる場所まで誘導したら、リモートコントロールのスイッチの降ろしのボタンを押してあげ、安全な場所まで降ろしてあげる。
そして降ろし終わったら、スイッチのボタンを捲きにして、避難器具１０を元の位置まで移動。
そして最後に成人が、上記の一人だけで使用する場合の方法で、安全な場所まで避難する。【０００１３】  本考案の避難装置は、避難用だけでなく、クレーンとして使用出来ます。住宅の玄関から入らない大きなものなどを、ベランダ内へ吊り上げ、吊り降ろしが出来ます。
【考案の効果】
【０００１４】  本考案は上述のとおり構成されているので、次に、記載する効果を説明する。
【０００１５】  請求項１のリモートコントロールのスイッチのボタンを押すだけで、老人、病人、女子、子供等、体力のない人、高所恐怖症の人等、簡単で安全に避難できる。
【０００１６】  請求項２の蝶番いの位置を、建物の外側の方へ傾けて斜めに少しずらして取り付けることによって、避難器具が自動的に、ベランダ内から外部の方へ旋回して、体力のない人でも、ベランダ内から外部の降りる場所まで行くことが出来ます。
【０００１７】  請求項３の蝶番いの取り付けは、ブームが１８０°旋回しますので、１８０°どの部分でも同じ強度の蝶番いでないと危険ですので、１枚板より２枚板にした方が、より強力になります。
【０００１８】  請求項５のウインチのワイヤー、吊り上げ装置のワイヤー、蝶番い、避難器具等は、ベランダ内に格納されており、風雨に当たるので、ステンレス材料を使用する。いつ、いかなる日時、何十年先に、地震、火災があるかわかりません。
そのために、腐食しないステンレス材料を使用して、安全を図ります。
【０００１９】  請求項６の動滑車を使用すると、避難器具が建物と並行になる位置で、動滑車のフックを固定すれば、避難器具を最上部へ上げたときも、ベランダの外部で避難器具を降ろすときも、避難器具は建物と並行なり、安全に避難することが出来る。
【０００２０】  請求項８の図４のような、ブーム旋回用手摺を取り付け、ブーム旋回を調節し、安全に、降りる場所まで避難器具を誘導できる。
【０００２１】  請求項１１の家庭配線のブレーカーとは別の配線を使用しないと、もし、家の台所から火災が発生し、台所にはいろいろな電化製品があります。その電化製品や配線に火が付き、ショートしてブレーカーが作動して停電になりますと、本考案の避難装置は使用できませんので、停電しても使用できる別の配線を作る。
【０００２２】  請求項１２の本考案の避難装置は、クレーンとしても使用することが出来ます。
【図面の簡単な説明】
【図１】  本考案の避難装置を、ベランダ内に取り付けた、横面図である。
【図２】  本考案の柱に、蝶番いの２枚板を取り付けた断面図である。
【図３】  避難器具及び、吊り上げ装置の横面図である。
【図４】  本考案の柱に、ブーム旋回用手摺を取り付けた断面図である。
【図５】  本考案の、ひっかけ棒の横面図である。
【符号の説明】
１、  ベランダの手摺
２、  柱
３、  取り付け金具
４、  クレーンのブーム
５、  蝶番い
６、  ウインチ
７、  蝶番いの２枚板
８、  ウインチのワイヤー
９、  動滑車
１０、避難器具
１１、動滑車のフック
１２、縒りもどし
１３、上の天井
１４、転落防止装置
１５、吊り上げ装置
１６、フック
１７、安全ベルト
１８、旋回用手摺
１９、ひっかけ棒
２０、ロープ
２１、定滑車
２２、過捲防止装置
【図１】
2005230519.tif 000003
【図２】
2005230519.tif 000004
【図３】
2005230519.tif 000005
【図４】
2005230519.tif 000006
【図５】
2005230519.tif 000007